【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
複数のリールと、
複数のストップスイッチと、
設定関連スイッチと、
設定値表示を行う設定値表示手段と、
内部抽せん手段と、
リールを制御するリール制御手段と、
を備え、
前記リール制御手段は、前記内部抽せん手段により所定の結果が決定された遊技では、遊技者の停止操作が受け付けられたことに基づいて、所定図柄組合せが停止可能となるよう構成されており、
前記リール制御手段は、前記内部抽せん手段により特定の結果が決定された遊技では、遊技者の停止操作が受け付けられたことに基づいて、特定図柄組合せが停止可能となるよう構成されており、
前記設定関連スイッチが第１態様から第２態様となった場合に前記設定値表示手段に設定値を表示する設定値確認状態に移行する場合を有し、
前記設定関連スイッチが第１態様であり、所定の遊技状態であり、前記内部抽せん手段により前記特定の結果が決定された遊技において、複数のリールのうち残り一つの所定のリールを回転しているときに、当該所定のリールに対応する遊技者の最終停止操作が受け付けられた結果、前記特定図柄組合せが停止され、その後当該遊技において何れのストップスイッチも操作されていないときは前記特定図柄組合せに対応する遊技価値が付与可能となるよう構成されており、
前記設定関連スイッチが第１態様であり、前記所定の遊技状態であり、前記内部抽せん手段により前記特定の結果が決定された遊技において、複数のリールのうち残り一つの所定のリールを回転しているときに、当該所定のリールに対応する遊技者の最終停止操作が受け付けられた結果、前記特定図柄組合せが停止され、その後当該遊技において当該最終停止操作に対応するストップスイッチの操作が継続されているときは前記特定図柄組合せに対応する遊技価値を付与せず、その後前記設定関連スイッチが第２態様となっている状況において、当該最終停止操作に対応するストップスイッチの操作が継続されなくなった所定の状況となったときは前記特定図柄組合せに対応する遊技価値が付与可能となるよう構成されており、
前記設定関連スイッチが第１態様であり、前記所定の遊技状態であり、且つ前記内部抽せん手段により前記所定の結果が決定された遊技において、遊技者の最終停止操作以外の停止操作が受け付けられたことにより停止された各リールには前記所定図柄組合せに対応する図柄がそれぞれ停止されており、その後の遊技者の最終停止操作として所定のタイミングで停止操作が受け付けられて前記所定図柄組合せが停止された後は、前記所定図柄組合せに対応する遊技価値が付与可能となるよう構成されており、
前記設定関連スイッチが第１態様であり、前記所定の遊技状態であり、且つ前記内部抽せん手段により前記所定の結果が決定された遊技において、前記各リールには前記所定図柄組合せに対応する図柄がそれぞれ停止されており、その後の遊技者の最終停止操作として前記所定のタイミングで停止操作が受け付けられたにもかかわらず、当該最終停止操作に対応するリールへの所定の回転不良が発生し、その後全てのリールが停止した状況において前記所定図柄組合せが停止されなかった後でも、前記所定図柄組合せに対応する遊技価値が付与可能となるよう構成されている
ことを特徴とする遊技機。
【手続補正２】
【補正対象書類名】明細書
【補正対象項目名】０００５
【補正方法】変更
【補正の内容】
【０００５】
上記課題を解決するために本発明は、複数のリール（第１回胴〜第３回胴など）と、
複数のストップスイッチ（第１停止ボタン〜第３停止ボタンなど）と、
設定関連スイッチ（設定キースイッチなど）と、
設定値表示を行う設定値表示手段（設定表示ＬＥＤなど）と、
内部抽せん手段（メインＣＰＵなど）と、
リールを制御するリール制御手段（メインＣＰＵなど）と、
を備え、
前記リール制御手段は、前記内部抽せん手段により所定の結果が決定された遊技では、遊技者の停止操作が受け付けられたことに基づいて、所定図柄組合せが停止可能となるよう構成されており（役物及び役物連続作動装置の作動に係る図柄の組合せの数が複数種類あるうちのいずれかが停止可能であることなど）、
前記リール制御手段は、前記内部抽せん手段により特定の結果が決定された遊技では、遊技者の停止操作が受け付けられたことに基づいて、特定図柄組合せが停止可能となるよう構成されており（役物及び役物連続作動装置の作動に係る図柄の組合せの数が複数種類あるうちのいずれかが停止可能であることなど）、
前記設定関連スイッチが第１態様から第２態様となった場合（設定キーがＯＦＦからＯＮとなった場合など）に前記設定値表示手段に設定値を表示する設定値確認状態に移行する場合を有し、
前記設定関連スイッチが第１態様であり、所定の遊技状態（電断復帰後にエラーが発生していない遊技状態など）であり、前記内部抽せん手段により前記特定の結果が決定された遊技において、複数のリールのうち残り一つの所定のリールを回転しているときに、当該所定のリールに対応する遊技者の最終停止操作が受け付けられた結果、前記特定図柄組合せが停止され、その後当該遊技において何れのストップスイッチも操作されていないときは前記特定図柄組合せに対応する遊技価値が付与可能となるよう構成されており（第１停止、第２停止、のうちの何れもが操作されていないことを払出の条件としていることなど）、
前記設定関連スイッチが第１態様であり、前記所定の遊技状態であり、前記内部抽せん手段により前記特定の結果が決定された遊技において、複数のリールのうち残り一つの所定のリールを回転しているときに、当該所定のリールに対応する遊技者の最終停止操作が受け付けられた結果、前記特定図柄組合せが停止され、その後当該遊技において当該最終停止操作に対応するストップスイッチの操作が継続されているときは前記特定図柄組合せに対応する遊技価値を付与せず、その後前記設定関連スイッチが第２態様となっている状況において、当該最終停止操作に対応するストップスイッチの操作が継続されなくなった所定の状況となったときは前記特定図柄組合せに対応する遊技価値が付与可能となるよう構成されており（ベル当せん時に、第３停止押下の状況で、電源断はせず、設定キーをＯＮにし、設定値確認可能状態において第３停止押下リリースがあった場合に関して、リリースがされた際に払出しを開始することなど）、
前記設定関連スイッチが第１態様であり、前記所定の遊技状態であり、且つ前記内部抽せん手段により前記所定の結果が決定された遊技において、遊技者の最終停止操作以外の停止操作が受け付けられたことにより停止された各リールには前記所定図柄組合せに対応する図柄がそれぞれ停止されており、その後の遊技者の最終停止操作として所定のタイミングで停止操作が受け付けられて前記所定図柄組合せが停止された後は、前記所定図柄組合せに対応する遊技価値が付与可能となるよう構成されており、
前記設定関連スイッチが第１態様であり、前記所定の遊技状態であり、且つ前記内部抽せん手段により前記所定の結果が決定された遊技において、前記各リールには前記所定図柄組合せに対応する図柄がそれぞれ停止されており、その後の遊技者の最終停止操作として前記所定のタイミングで停止操作が受け付けられたにもかかわらず、当該最終停止操作に対応するリールへの所定の回転不良が発生し、その後全てのリールが停止した状況において前記所定図柄組合せが停止されなかった後でも、前記所定図柄組合せに対応する遊技価値が付与可能となるよう構成されている（入賞役に係る図柄が本来の停止位置からずれた状況でも、遊技メダルの払出しを実行することなど）
ことを特徴とする遊技機である。